(57)【要約】【課題】機器全体の小型化を図るとともにコストの低減を図り、更に吹出角度の設計の自由度をも広げる。【解決手段】除湿通路１１と再生通路１２とに区画したケーシング１０と、回転可能に配設した除湿ロータ３３と、室内の空気を吸引して乾燥空気を室内に循環供給する室内空気循環ファンと、再生空気を循環させる再生空気循環ファン５２と、再生空気および除湿ロータ３３を加熱する加熱ヒータ５４と、再生空気を空気により冷却して含有した水分を取り除く熱交換器５６と、取り除いた水分を貯留するタンク６４とを備えた除湿機において、ケーシング１０に、インボリュート通路を構成する壁２０ａ，２０ｂを備えた２以上の室内空気循環ファン配設部２０Ａ，２０Ｂを設けるとともに、これらにモータ４５Ａ，４５Ｂにより駆動する室内空気循環ファン４４Ａ，４４Ｂをそれぞれ配設する。【選択図】  図３
2004267902.tif 000002
【特許請求の範囲】
【請求項１】
内部を除湿通路と再生通路とに区画したケーシングと、
前記両通路に跨って駆動手段により回転可能に配設した除湿ロータと、
前記除湿通路内に配設し、室内の空気を吸引して前記除湿ロータによって除湿した乾燥空気を室内に循環供給する室内空気循環ファンと、
前記再生通路内に配設し、再生空気を循環させる再生空気循環ファンと、
前記再生通路内に配設し、前記再生空気および除湿ロータを加熱する加熱ヒータと、
前記除湿通路内に配設するとともに前記再生通路の一部を構成し、内部に流通する再生空気を外部に流通する空気により冷却して含有した水分を取り除く熱交換器と、
前記熱交換器により取り除いた水分を貯留するタンクと
を備えた除湿機において、
前記ケーシングに、インボリュート通路を構成する壁を備えた２以上の室内空気循環ファン配設部を設けるとともに、これらにモータにより駆動する室内空気循環ファンをそれぞれ配設したことを特徴とする除湿機。
【請求項２】
前記室内空気循環ファンは、除湿動作時に常時回転する第１室内空気循環ファンと、風量を大きくする際に動作するとともに風量を小さくする際に停止する第２循環ファンとを備え、前記第１循環ファンを、前記加熱ヒータに対して前記除湿ロータの回転方向前方に配設したことを特徴とする請求項１に記載の除湿機。
【発明の詳細な説明】
【０００１】
【発明の属する技術分野】
本発明は、除湿機に関するものである。
【０００２】
【従来の技術】
本発明の除湿機に関連する先行技術文献情報としては次のものがある。
【０００３】
【特許文献１】
特開２００１−２５９３５２号公報
【０００４】
この特許文献１の除湿機は、ケーシング内が除湿通路と再生通路とに区画され、これら通路に跨って円板状の除湿ロータが回転可能に配設されている。
【０００５】
前記除湿通路には、室内の空気を吸気口から吸引し、排気口から室内に循環供給するための室内空気循環ファンが配設されている。前記再生通路には、該再生通路内の再生空気を循環させる再生空気循環ファンと、前記再生空気および除湿ロータを加熱する加熱ヒータとが配設されている。また、ケーシング内には、前記再生通路の一部を構成する熱交換器が配設されている。
【０００６】
そして、前記除湿通路では、吸引した室内の空気を前記除湿ロータを通過することにより、吸引した空気に含有した水分が吸着され、乾燥した空気として排気口から室内に循環供給される。
【０００７】
また、再生通路では、内部の再生空気が前記加熱ヒータで加熱され、この状態で前記除湿ロータを通過することにより、該除湿ロータが吸着した水分を放出する。そして、その再生空気が、熱交換器を通過する際に熱交換によって冷却されると、含有した水分が結露する。これにより、再生空気に含まれた水分は取り除かれ、結露した水はタンクに回収される。
【０００８】
【発明が解決しようとする課題】
しかしながら、前記除湿機は、除湿効率を向上するために室内空気循環ファンによる送風量を大きくするには、許容能力が大きい大型のモータを使用する必要がある。その結果、機器全体が大型化するうえ、コスト高になるという問題がある。また、前記室内空気循環ファンは、インボリュート通路を構成する壁を備えた配設部に配設されるが、前記インボリュート通路によって循環供給する空気の吹出角度を広くするのは非常に困難である。
【０００９】
そこで、本発明では、機器全体の小型化を図るとともにコストの低減を図り、更に吹出角度の設計の自由度をも広げることができる除湿機を提供することを課題とするものである。
【００１０】
【課題を解決するための手段】
前記課題を解決するため、本発明の除湿機は、内部を除湿通路と再生通路とに区画したケーシングと、前記両通路に跨って駆動手段により回転可能に配設した除湿ロータと、前記除湿通路内に配設し、室内の空気を吸引して前記除湿ロータによって除湿した乾燥空気を室内に循環供給する室内空気循環ファンと、前記再生通路内に配設し、再生空気を循環させる再生空気循環ファンと、前記再生通路内に配設し、前記再生空気および除湿ロータを加熱する加熱ヒータと、前記除湿通路内に配設するとともに前記再生通路の一部を構成し、内部に流通する再生空気を外部に流通する空気により冷却して含有した水分を取り除く熱交換器と、前記熱交換器により取り除いた水分を貯留するタンクとを備えた除湿機において、前記ケーシングに、インボリュート通路を構成する壁を備えた２以上の室内空気循環ファン配設部を設けるとともに、これらにモータにより駆動する室内空気循環ファンをそれぞれ配設した構成としている。
【００１１】
前記除湿機によれば、２以上の室内空気循環ファンを配設するため、個々の室内空気循環ファンは１つの室内空気循環ファンを搭載する場合と比較して小さくすることができる。その結果、使用するモータの許容能力は小さいものでよい。そのため、除湿効率を向上するために室内空気循環ファンによる送風量を大きくする場合でも、機器全体が大型化することを抑制できるとともに、コスト高になることを抑制できる。また、２以上のインボリュート通路を構成する壁を備えた配設部を設けるため、その吹出角度の設計の自由度を広げることができる。
【００１２】
この除湿機では、前記室内空気循環ファンは、除湿動作時に常時回転する第１室内空気循環ファンと、風量を大きくする際に動作するとともに風量を小さくする際に停止する第２循環ファンとを備え、前記第１循環ファンを、前記加熱ヒータに対して前記除湿ロータの回転方向前方に配設することが好ましい。このようにすれば、除湿ロータにおいて、加熱ヒータによって加熱した直後の冷えていない領域には、常に吸引した空気が流通される。その結果、除湿効率を向上することができる。
【００１３】
【発明の実施の形態】
以下、本発明の実施の形態を図面に従って説明する。
図１から図７は本発明の実施形態に係る除湿機を示す。この除湿機は、図１に示すように、大略、矩形状をなすケーシング１０の内部を除湿通路１１と再生通路１２とに区画し、その内部に、除湿ロータ３３と、室内空気循環ファン４４Ａ，４４Ｂと、再生空気循環ファン５２と、加熱ヒータ５４と、熱交換器５６とを水平に配設するとともに、下部にタンク６４を配設したものである。
【００１４】
前記ケーシング１０は、図２（Ａ），（Ｂ）に示すように、基枠１３の前後に前カバー１４と後カバー１５とを配設したものである。前記前カバー１４の上部にはルーバー１６を備えた排気口１７が形成されている。前記後カバー１５には、垂直方向に延びる複数のスリットからなる吸気口１８が形成されている。また、ケーシング１０には、前記基枠１３にカバー１４，１５を組み付けることにより、その下部にタンク収容室１９が形成される。
【００１５】
前記基枠１３の前面側には、図３に示すように、２つのインボリュート通路を構成する壁２０ａ，２０ｂを備えるとともに開口された室内空気循環ファン配設部２０Ａ，２０Ｂと、再生空気循環ファン配設部２１と、該再生空気循環ファン配設部２１から後述する加熱ヒータ配設部２６にかけて延びるダクト部２２とが設けられている。このダクト部２２は、断面凹字形状の溝からなり、この溝に内嵌する逆凹字形状のダクトカバー２３を配設することにより再生通路１２の一部を構成する。また、本実施形態のダクトカバー２３の上面には、前記室内空気循環ファン配設部２０Ａのインボリュート通路の一部を構成する壁部２４が設けられている。さらに、前記室内空気循環ファン配設部２０Ａ，２０Ｂの間には、除湿通路１１の一部を構成する開口部２５が設けられている。
【００１６】
また、基枠１３の後面側には、図４および図５に示すように、前側に加熱ヒータ配設部２６と、除湿ロータ配設部２７と、前記再生空気循環ファン配設部２１に連通する円筒状のダクト２８とが設けられている。前記加熱ヒータ配設部２６は、前記ダクト部材と連通している。また、この加熱ヒータ配設部２６は、除湿動作時に常時回転する第１の室内空気循環ファン４４Ａを配設する配設部２０Ａに対して、前記除湿ロータ３３の回転方向後方に位置する近傍に配置されている。除湿ロータ配設部２７は、図５に示すように、後述する除湿ロータ３３の保持部材３６の下端縁より肉厚の周壁２９の上面に、ガイド用の凹溝３０を設けたものである。さらに、この基枠１３の後面側には、除湿ロータ３３の外周縁に位置するように、該除湿ロータ３３の駆動手段である駆動モータ３４が配設される。さらにまた、この基枠１３の後面側下端には、図示しない制御基板に電力を供給するためのコードリール３１を配設するためのコードリール配設部３２が設けられている。このコードリール配設部３２は、防水構造として４方がリブにより囲繞されている。
【００１７】
なお、前記再生通路１２は、再生空気循環ファン配設部２１、該配設部２１と連通したダクト部２２、該ダクト部２２と連通した加熱ヒータ配設部２６、該配設部２６と対応するように除湿ロータ３３の反対側に配設したロータカバー、および、該ロータカバーに接続するとともに前記再生空気循環ファン配設部２１に接続する熱交換器５６により構成される。そして、この区画された再生通路１２および前記タンク収容室１９を除くケーシング１０内が、前記除湿ロータ３３を介して吸気口１８と排気口１７とを連通させる除湿通路１１を構成する。
【００１８】
前記除湿ロータ３３は、その約３／４が除湿通路１１内に位置し、約１／４が再生通路１２内に位置するように、前記両通路１１，１２に跨って駆動モータ３４により回転可能に配設した円板状のものである。具体的には、この除湿ロータ３３は、図４および図５に示すように、ゼオライトまたはシリカゲルを結合させたメッシュ状のセラミックハニカムからなるロータ本体３５を、樹脂製の保持部材３６によって保持させたものである。
【００１９】
前記保持部材３６は、ロータ本体３５の中央に位置する軸受部３７と、ロータ本体３５の外周部に位置する外壁部３８と、これらを加熱ヒータ５４と反対に位置する熱交換器５６の側で連結する連結枠３９とからなる。前記外壁部３８には、外方に突出するフランジ部４０が設けられるとともに、駆動モータ３４の出力軸に配設した歯車３４ａに噛み合う複数の凸状歯４１が設けられている。
【００２０】
なお、本実施形態では、前記除湿ロータ３３は、除湿動作中には、約２分で１回転するように、前記駆動モータ３４の回転数および歯車３４ａと凸状歯４１とのギア比が設定されている。また、前記除湿ロータ３３において、加熱ヒータ５４を収容するヒータケース５５との対応位置に反対面には、ローターカバー４２が配設されている。このローターカバー４２には、ヒータケース５５と同一形状の接続部４３が設けられ、この接続部４３に前記熱交換器５６の流入口６０が接続される。
【００２１】
前記室内空気循環ファン４４Ａ，４４Ｂは、図６（Ａ）に示すシロッコファンで構成され、図１に実線の矢印で示すように、後カバー１５の吸気口１８から室内の空気を吸引し、前記除湿ロータ３３によって除湿した乾燥空気を前カバー１４の排気口１７から室内に循環供給するものである。
【００２２】
前記シロッコファンは、駆動手段であるモータ４５Ａ，４５Ｂと、該モータ４５により図中時計回りに回転される羽根車４６とからなる。また、この羽根車４６は、円環状をなすベース４７と、該ベース４７と直交する方向に突出する複数の第１羽根部４８と、前記ベース４７の中心に位置するモータ４５への取付部４９と、前記ベース４７と取付部４９とを連結する第２羽根部５０とからなる。また、第２羽根部５０の下端にはリング状の連結部５１が設けられている。
【００２３】
前記第１羽根部４８は、図６（Ｂ）に示すように、回転方向に向けて水平方向に円弧状に湾曲した形状をなす。また、前記ベース４７から下広がりに傾斜するとともに、上側に向けて次第に肉厚を厚くすることにより、若干螺旋状に湾曲した形状をなす。前記第２羽根部５０は、図６（Ｃ）に示すように、回転方向に沿って上向きに傾斜さした形状をなす。また、この第２羽根部５０には、回転方向後側に上向きに突出するリブ５０ａが設けられている。
【００２４】
なお、本実施形態では、第１の室内空気循環ファン４４Ａは前記室内空気循環ファン配設部２０Ａに配設され、そのモータ４５Ａは、回転が早い「強」運転と、回転が遅い「弱」運転とが可能な変速機能を有するものを用いている。また、第２の室内空気循環ファン４４Ｂは前記室内空気循環ファン配設部２０Ｂに配設され、そのモータ４５Ｂは、回転が早い「強」運転のみが可能なものを用いている。
【００２５】
ここで、従来の除湿機の室内空気循環ファンは、本実施形態における個々の室内空気循環ファン４４Ａ，４４Ｂと比較して形状は大きいが、インボリュート通路を形成する必要性により、除湿ロータ３３より非常に小さく、この除湿ロータ３３に対して重畳する面積の比率は約４１％である。そのため、従来の室内空気循環ファンは、除湿ロータ３３に対する通気面積を確保するために、該除湿ロータ３３との間に所定スペースを設ける必要があった。
【００２６】
これに対して本実施形態の室内空気循環ファン４４Ａ，４４Ｂは、従来の室内空気循環ファンより小さいが、除湿ロータ３３に対して重畳する面積の比率は約６８％である。また、基枠には、前記室内空気循環ファン配設部２０Ａ，２０Ｂの間には、除湿通路１１の一部を構成する開口部２５を設けている。そのため、前記室内空気循環ファン４４Ａ，４４Ｂと除湿ロータ３３との間には、所定スペースを設けなくても除湿ロータ３３に対する通気面積を十分に確保できる。そのため、従来の除湿機と比較して小型化することができる。
【００２７】
図３に示すように、前記室内空気循環ファン４４Ａ，４４Ｂの前側にはファンカバー７０が装着されている。このファンカバー７０は、室内空気循環ファン配設部２０Ａ，２０Ｂの上部を閉塞する形状をなし、各室内空気循環ファン４４Ａ，４４Ｂと対応する位置には通気孔７１が設けられるとともに、前カバー１４との間に所定の隙間を形成するためのリブ７２が前記通気孔７１に向けて延びるように設けられている。また、このファンカバー７０における第１の室内空気循環ファン４４Ａの配設部２０Ａを閉塞する側には、インボリュート通路内に位置するように配設するマイナスイオン発生装置７３の装着部７４が設けられている。この装着部７４には、前記マイナスイオン発生装置７３が排気口１７から直接的に見えないように閉塞部７４ａが設けられている。
【００２８】
前記再生空気循環ファン５２は、前記再生通路１２内において、前記再生空気循環ファン配設部２１に配設され、モータ５３の駆動により回転する。これにより、図１に破線の矢印で示すように、再生通路１２内の再生空気を、ダクト部２２を介して加熱ヒータ５４のヒータケース５５内に供給し、除湿ロータ３３、および、熱交換器５６の順で循環させるものである。
【００２９】
前記加熱ヒータ５４は、前記除湿ロータ３３の前方に配設され、図示しない電源回路からの供給電力により発熱し、再生空気および除湿ロータ３３を加熱するものである。この加熱ヒータ５４は、連続した１巻きのコイルからなり、前記再生通路１２を構成するヒータケース５５を介して前記加熱ヒータ配設部２６に配設される。
【００３０】
前記熱交換器５６は、前記除湿通路１１内において、前記除湿ロータ３３の背面側に配設されるとともに前記再生通路１２の一部を構成するもので、図７（Ａ），（Ｂ）に示すように、真空成形または圧空成形により形成した一対のパネル５７Ａ，５７Ｂを溶着した樹脂製のものである。各パネル５７Ａ，５７Ｂは、互いに対称に位置する複数の仕切用凹条５８Ａ，５８Ｂを備え、これら仕切用凹条５８Ａ，５８Ｂを除く部位により再生空気を通過させる複数の流路５９が形成されている。また、一方のパネル５７Ａには、加熱ヒータ５４を収容するヒータケース５５の形状と対応する扇形状の流入口６０と、基枠１３のダクト２８と対応する円形状の流出口６１と、結露水をタンク６４に排水するためのドレン部６２とが設けられている。さらに、貼り合わされた仕切用凹条５８Ａ，５８Ｂの部位には、吸引した空気を流通させるための通孔６３が設けられている。
【００３１】
前記タンク６４は、図２（Ｂ）および図４に示すように、上面開口の箱体形状をなし、その内部にはフロート部材６５が回動可能に配設されている。このフロート部材６５は、タンク６４内の水位が上昇すると、下部のフロート部６５ａが浮き上がることにより全体が回動する。
【００３２】
なお、前記タンク収容室１９には、上端開口の箱体形状をなすサブタンク６６が配設されている。このサブタンク６６には、水平方向に移動可能な弁動作部６７が配設され、この弁動作部６７に弁６８が配設されている。この弁動作部６７は、スプリングによって常閉状態を維持するように構成されており、タンク６４を装着することにより前記フロート部材６５の上端の押圧部６５ｂが当接して開弁する。そして、タンク６４内の水位が上昇してフロート部材６５が回動することにより、押圧部６５ｂによる弁動作部６７の押圧が解除され、閉弁するように構成している。また、前記弁動作部６７には、分岐したマイクロスイッチ動作部６７ａが設けられ、押圧部６５ｂによる弁動作部６７の押圧が解除されると、マイクロスイッチ６９を介して満水状態を検出できるようにしている。
【００３３】
前記除湿機に実装した図示しない制御手段は、電源スイッチがオン状態になり、ケーシング１０の収容室にタンク６４がセットされ、かつ、満水状態でない場合に、前記除湿ロータ３３の駆動モータ３４、室内空気循環ファン４４Ａ，４４Ｂのモータ４５Ａ，４５Ｂ、再生空気循環ファン５２のモータ５３、および、加熱ヒータ５４に対して電力を通電して除湿動作を開始する。また、タンク６４内が満水状態になると、前記各構成部品への通電を停止して除湿動作を停止するものである。
【００３４】
また、ユーザが図示しない操作パネルを操作することにより「強」運転を選択すると、前記室内空気循環ファン４４Ａを「強」運転させるとともに、室内空気循環ファン４４Ｂを「強」運転させる。また、ユーザが「標準」運転を選択すると、前記室内空気循環ファン４４Ａを「弱」運転させるとともに、室内空気循環ファン４４Ｂを「強」運転させる。また、ユーザが「静音」運転を選択すると、前記室内空気循環ファン４４Ａを「弱」運転させるとともに、室内空気循環ファン４４Ｂを停止させる。
【００３５】
このように、本発明の除湿機では、２つの室内空気循環ファン４４Ａ，４４Ｂを配設するため、個々の室内空気循環ファン４４Ａ，４４Ｂは１つの室内空気循環ファンを搭載する場合と比較して小さくすることができる。その結果、使用するモータ４５の許容能力は小さいものでよい。そのため、除湿効率を向上するために室内空気循環ファン４４Ａ，４４Ｂによる送風量を大きくする場合でも、機器全体が大型化することを抑制できるとともに、コスト高になることを抑制できる。また、２以上のインボリュート通路を構成する壁２０ａ．２０ｂを備えた配設部２０Ａ，２０Ｂを設けるため、その吹出角度の設計の自由度を広げることができる。
【００３６】
また、本実施形態では、除湿動作時に常時回転する第１の室内空気循環ファン４４Ａを、前記加熱ヒータ５４に対して前記除湿ロータ３３の回転方向前方に配設している。そのため、除湿ロータ３３において、加熱ヒータ５４によって加熱した直後の冷えていない領域には、常に吸引した空気が流通される。その結果、更に除湿効率を向上することができる。また、常に回転する第１の室内空気循環ファン４４Ａの側にマイナスイオン発生装置７３を取り付けているため、乾燥空気とともに動作時には常にマイナスイオンを放出させることができる。
【００３７】
次に、前記除湿機による除湿動作について具体的に説明する。
まず、除湿通路１１では、前記室内空気循環ファン４４Ａ，４４Ｂの駆動により、後カバー１５の吸気口１８から室内の空気が吸引される。そして、その吸引された空気は、熱交換器５６の通孔６３を通過する際に再生空気との熱交換によって加熱され、この状態で、除湿ロータ３３を通過する際に、含有した水分が吸着される。これにより、乾燥した空気として前カバー１４の排気口１７から室内に循環供給される。
【００３８】
なお、基枠１３において、除湿ロータ３３を配設した後側から室内空気循環ファン４４Ａ，４４Ｂを配設した前側への乾燥空気が流入は、各室内空気循環ファン配設部２０Ａ，２０Ｂの開口と、その下部の開口部２５とから行われる。そして、各室内空気循環ファン配設部２０Ａ，２０Ｂの開口から流入した乾燥空気は、室内空気循環ファン４４Ａ，４４Ｂにおける広く開口した図６中下端から第１羽根部４８により囲まれた空間内に流入する。また、開口部２５から流入した乾燥空気は、室内空気循環ファン４４Ａ，４４Ｂのベース４７の外側に流入し、第２羽根部５０およびリブ５０ａによって掻き切られるようにして第１羽根部４８で囲まれた内部に流入する。そして、この第１羽根部４８で囲まれた内部の乾燥空気は、第１羽根部４８によって直径方向外向きに送出され、壁２０ａ，２０ｂによって構成されたインボリュート通路の形状に従って排気口１７から室内に供給される。
【００３９】
このように、前記シロッコファンからなる室内空気循環ファン４４Ａ，４４Ｂは、第１羽根部の突出方向の両側（上下両側）から内部に流入させ、その空気を水平方向に送出することができるため、形状が大型化することなく送風量を大きくすることができる。また、大容量のモータ４５も使用する必要がないため、コスト高になることもない。そのため、機器全体の形状が大型化したり、コストアップすることなく、確実に除湿効率を向上できる。
【００４０】
一方、再生通路１２では、再生空気循環ファン５２の駆動により、内部の再生空気がダクト部２２を通って加熱ヒータ５４を収容したヒータケース５５内に流入する。その後、その再生空気は、加熱ヒータ５４で加熱された後、除湿ロータ３３を通過する際に、該除湿ロータ３３が吸着した水分を吸着する。ついで、再生空気は、熱交換器５６に流入し、隔離された除湿通路１１を流通する室内の空気との温度差による熱交換で冷却され、含有した水分が結露する。これにより、再生空気は、乾燥状態として再生空気循環ファン５２により前記加熱ヒータ５４の側に再び供給される。また、結露した水は、熱交換器５６のドレン部６２からサブタンク６６を経てタンク６４に回収される。
【００４１】
なお、本発明の除湿機は、前記実施形態の構成に限定されるものではなく、種々の変更が可能である。
【００４２】
例えば、前記実施形態では、各室内空気循環ファン４４Ａ，４４Ｂをモータ４５Ａ，４５Ｂにより羽根車４６を同一の時計回りに回転させたが、それぞれ異なる方向に回転させてもよい。また、前記実施形態では、２つの室内空気循環ファン４４Ａ，４４Ｂを搭載したが、３以上の配設部を設けて３以上の室内空気循環ファンを搭載してもよい。
【００４３】
【発明の効果】
以上の説明から明らかなように、本発明の除湿機では、２以上の室内空気循環ファンを配設するため、個々の室内空気循環ファンは１つの室内空気循環ファンを搭載する場合と比較して小さくすることができる。その結果、使用するモータの許容能力は小さいものでよい。そのため、除湿効率を向上するために室内空気循環ファンによる送風量を大きくする場合でも、機器全体が大型化することを抑制できるとともに、コスト高になることを抑制できる。また、２以上のインボリュート通路を構成する壁を備えた配設部を設けるため、その吹出角度の設計の自由度を広げることができる。
【図面の簡単な説明】
【図１】本発明の実施形態に係る除湿機を示す概略図である。
【図２】（Ａ），（Ｂ）は除湿機の具体的構成を示す断面図である。
【図３】基枠の前面側の構成を示す分解斜視図である。
【図４】除湿機の後面側の構成を示す断面図である。
【図５】基枠と除湿ロータとの関係を示す分解斜視図である。
【図６】（Ａ）は搭載した室内空気循環ファンを示す斜視図、（Ｂ），（Ｃ）はそれぞれ（Ａ）の要部断面図である。
【図７】（Ａ）は熱交換器の正面図、（Ｂ）は（Ａ）の要部拡大断面図である。
【符号の説明】
１０…ケーシング、１１…除湿通路、１２…再生通路、２０Ａ，２０Ｂ…室内空気循環ファン配設部、２０ａ，２０ｂ…壁、３３…除湿ロータ、４４Ａ，４４Ｂ…室内空気循環ファン、４５Ａ，４５Ｂ…モータ、５２…再生空気循環ファン、５４…加熱ヒータ、５６…熱交換器。
【図１】
2004267902.tif 000003
【図２】
2004267902.tif 000004
【図３】
2004267902.tif 000005
【図４】
2004267902.tif 000006
【図５】
2004267902.tif 000007
【図６】
2004267902.tif 000008
【図７】
2004267902.tif 000009